(57)【要約】【課題】被支持物の位置ずれを適切に抑制できるハンガーを提供する。【解決手段】ハンガー11は、紙材によって平板状に形成したものである。ハンガー11は、被支持物を支持する支持体12を備える。ハンガー11は、支持体12の左右方向中央部から上方に向かって突出するフック体13を備える。支持体12は、この支持体12に対する被支持物の位置ずれを抑制する上方突出状の位置ずれ抑制部14を左右方向両端部に有する。紙材は、古紙の繊維と糊とを共に圧縮して固めた厚さ３．５ｍｍ〜４．０ｍｍの再生紙である。【選択図】図１
0003168026.tif 000002
【実用新案登録請求の範囲】
【請求項１】
紙材によって平板状に形成されたハンガーであって、
被支持物を支持する支持体と、
この支持体の左右方向中央部から上方に向かって突出するフック体とを備え、
前記支持体は、この支持体に対する被支持物の位置ずれを抑制する上方突出状の位置ずれ抑制部を左右方向両端部に有する
ことを特徴とするハンガー。
【請求項２】
支持体は、この支持体の左右方向中央位置を通る上下方向軸線を中心とする左右対称形状に形成されている
ことを特徴とする請求項１記載のハンガー。
【請求項３】
支持体は、
フック体が上端側に連設されたフック連設部と、
このフック連設部から外側方に向かって下り傾斜状に突出し、位置ずれ抑制部が外側端部の上端側に連設された左右１対のアーム部とを有する
ことを特徴とする請求項１または２記載のハンガー。
【請求項４】
支持体は、両アーム部の外側端部同士を互いに一体に連結する連結部を有する
ことを特徴とする請求項３記載のハンガー。
【請求項５】
支持体の位置ずれ抑制部の上面は、上方に向かって凸の湾曲面状をなす湾曲上面にて構成され、
前記湾曲上面の内側端側は、水平な左右方向軸線に略沿って位置する
ことを特徴とする請求項１ないし４のいずれか一記載のハンガー。
【請求項６】
紙材は、古紙の繊維と糊とを共に圧縮して固めた厚さ３．５ｍｍ〜４．０ｍｍの再生紙である
ことを特徴とする請求項１ないし５のいずれか一記載のハンガー。
【考案の詳細な説明】
【技術分野】
【０００１】
本考案は、紙材によって平板状に形成されたハンガーに関する。
【背景技術】
【０００２】
従来、例えば特許文献１に記載されたハンガーが知られている。
【０００３】
この従来のハンガーは、図５および図６に示すように、全体が薄い平板状に形成されたもので、衣料等の被支持物Ａが掛けられこの被支持物Ａを支持する略三角形状の支持体１と、この支持体１の左右方向中央部から上方に向かって突出する略逆Ｊ字状のフック体２とを備えている。
【０００４】
支持体１は、フック体２が上端側に連設されたフック連設部３と、このフック連設部３の左右方向両端部から外側方に向かって突出する左右１対のアーム部４とを有している。各アーム部４の上面は、外側方に向って徐々に下り傾斜する平坦な傾斜面５にて構成されている。
【先行技術文献】
【特許文献】
【０００５】
【特許文献１】意匠登録第９７１４３７号公報
【考案の概要】
【考案が解決しようとする課題】
【０００６】
しかしながら、上記従来のハンガーでは、支持体１のアーム部４の上面が外側方に向って徐々に下り傾斜する傾斜面５にて構成されているため、被支持物Ａが支持体１に対して位置ずれするおそれがある。
【０００７】
すなわち例えば図６に示すように、被支持物Ａがキャミソール（肩紐A1を有する衣料）である場合には、フック体２を図示しない棒状のフック受け部材（洗濯竿やクローゼットの棒等）に引っ掛けようとする際に、ハンガー全体が斜めになると、キャミソールの肩紐A1が支持体１に対して滑って位置ずれを生じ、アーム部４の傾斜面５から滑り落ちてしまう。つまり、肩紐A1を有する衣料や襟ぐりが広い衣料等、被支持物Ａの種類によっては、支持体１に対して位置ずれが生じやすく、支持体１から脱落してしまうこともある。
【０００８】
本考案は、このような点に鑑みなされたもので、被支持物の位置ずれを適切に抑制できるハンガーを提供することを目的とする。
【課題を解決するための手段】
【０００９】
請求項１記載のハンガーは、紙材によって平板状に形成されたハンガーであって、被支持物を支持する支持体と、この支持体の左右方向中央部から上方に向かって突出するフック体とを備え、前記支持体は、この支持体に対する被支持物の位置ずれを抑制する上方突出状の位置ずれ抑制部を左右方向両端部に有するものである。
【００１０】
請求項２記載のハンガーは、請求項１記載のハンガーにおいて、支持体は、この支持体の左右方向中央位置を通る上下方向軸線を中心とする左右対称形状に形成されているものである。
【００１１】
請求項３記載のハンガーは、請求項１または２記載のハンガーにおいて、支持体は、フック体が上端側に連設されたフック連設部と、このフック連設部から外側方に向かって下り傾斜状に突出し、位置ずれ抑制部が外側端部の上端側に連設された左右１対のアーム部とを有するものである。
【００１２】
請求項４記載のハンガーは、請求項３記載のハンガーにおいて、支持体は、両アーム部の外側端部同士を互いに一体に連結する連結部を有するものである。
【００１３】
請求項５記載のハンガーは、請求項１ないし４のいずれか一記載のハンガーにおいて、支持体の位置ずれ抑制部の上面は、上方に向かって凸の湾曲面状をなす湾曲上面にて構成され、前記湾曲上面の内側端側は、水平な左右方向軸線に略沿って位置するものである。
【００１４】
請求項６記載のハンガーは、請求項１ないし５のいずれか一記載のハンガーにおいて、紙材は、古紙の繊維と糊とを共に圧縮して固めた厚さ３．５ｍｍ〜４．０ｍｍの再生紙であるものである。
【考案の効果】
【００１５】
請求項１に係る考案によれば、支持体はこの支持体に対する被支持物の位置ずれを抑制する上方突出状の位置ずれ抑制部を左右方向両端部に有するため、被支持物の位置ずれを適切に抑制できる。
【００１６】
請求項２に係る考案によれば、支持体はこの支持体の左右方向中央位置を通る上下方向軸線を中心とする左右対称形状に形成されているため、重量バランスが良好であるとともに、外観も良好である。
【００１７】
請求項３に係る考案によれば、支持体はフック体が上端側に連設されたフック連設部とこのフック連設部から外側方に向かって下り傾斜状に突出し位置ずれ抑制部が外側端部の上端側に連設された左右１対のアーム部とを有するため、支持体のアーム部に対する被支持物の位置ずれをより適切に抑制できる。
【００１８】
請求項４に係る考案によれば、支持体は両アーム部の外側端部同士を互いに一体に連結する連結部を有するため、強度が良好であるばかりでなく、被支持物を連結部に掛けることもできる。
【００１９】
請求項５に係る考案によれば、支持体の位置ずれ抑制部の上面は上方に向かって凸の湾曲面状をなす湾曲上面にて構成され、この湾曲上面の内側端側は水平な左右方向軸線に略沿って位置するため、被支持物を支持体から取り外す際に被支持物の位置ずれ抑制部への引っ掛かりを防止できる。
【００２０】
請求項６に係る考案によれば、紙材は古紙の繊維と糊とを共に圧縮して固めた厚さ３．５ｍｍ〜４．０ｍｍの再生紙であるため、製造コストを低減でき、環境保護（エコロジー）にも適しており、しかも、厚さが３．５ｍｍ〜４．０ｍｍと薄いため、例えば複数本のハンガーを使用して所定範囲の収納スペース内に多くの被支持物を効率的に収納することができる。
【図面の簡単な説明】
【００２１】
【図１】本考案の第１の実施の形態に係るハンガーの正面図である。
【図２】同上ハンガーの斜視図である。
【図３】同上ハンガーの使用状態図である。
【図４】本考案の第２の実施の形態に係るハンガーの正面図である。
【図５】従来のハンガーの正面図である。
【図６】従来のハンガーの使用状態図である。
【考案を実施するための形態】
【００２２】
本考案の第１の実施の形態を図１ないし図３を参照して説明する。
【００２３】
図１ないし図３において、11はハンガーで、このハンガー11は、その全体が紙材によって薄い平板状に一体に形成されたものである。
【００２４】
紙材は、例えば古紙の繊維と糊とを共に圧縮して固めた厚さ３．５ｍｍ〜４．０ｍｍの再生紙である。この再生紙は、比較的硬い硬質紙であって、被支持物Ａを支持した際におけるこの被支持物Ａの重量では変形しない所望の強度を有している。つまり、この再生紙からなる紙製のハンガー11は、被支持物Ａの重量に耐えうるものであり、掛けられた被支持物Ａから受ける重力で曲がったり、折れたりすることがない。
【００２５】
そして、この紙製のハンガー11は、図１ないし図３に示すように、衣料等の被支持物Ａが掛けられこの被支持物Ａを支持する左右方向長手状の支持体12と、この支持体12の左右方向中央部の上端部から上方に向かって一体に突出する略逆Ｊ字状のフック体13とを備えている。
【００２６】
支持体12は、この支持体12の左右方向中央位置を通る上下方向軸線Ｙを中心とする左右対称形状に形成されている。つまり、支持体12は、上下方向軸線Ｙを対称の軸とする左右対称のものである。そして、支持体12は、この支持体12に対する被支持物Ａの位置ずれ（滑り）を抑制する上方突出状の位置ずれ抑制部（図１中、斜線を施した部分）14を左右方向両端部に有している。
【００２７】
ここで、支持体12は、フック体13が上端側に連設されたフック連設部15と、このフック連設部15の左右方向両端部から外側方に向かって下り傾斜状に一体に突出し位置ずれ抑制部14が外側端部の上端側に連設された左右方向長手状の左右１対のアーム部16とを有している。つまり、支持体12は、５つの構成部分、すなわち、１つのフック連設部15と、左右対称の２つのアーム部16と、左右対称の２つの位置ずれ抑制部14とによって構成されている。
【００２８】
フック連設部15は、下方に向って開口する略コ字状をなすもので、下部に凹部20が形成されている。フック連設部15は、水平状に位置する左右方向長手状の第１部分21と、この第１部分21の左右方向両端部から外側方に向かって急勾配で下り傾斜状に一体に突出する第２部分22とにて構成されている。第１部分21の上端部とフック体13の下端部とが互いに一体に連結されている。
【００２９】
アーム部16は、内側端部（フック連設部15側の端部である基端部）から外側端部（フック連設部15とは反対側の先端部）に向ってフック連設部15の第２部分22に比べて緩勾配で下り傾斜する直線傾斜状で左右方向長手状の長手状部分23のみで構成されている。長手状部分23の内側端部とフック連設部15の第２部分22の外側端部とが互いに一体に連結されている。
【００３０】
アーム部16の上面は、外側方に向って徐々に下り傾斜する平坦な傾斜面25にて構成されている。傾斜面25のうちアーム部16の外側端部に位置する部分には、被支持物Ａの外側方への移動を抑制可能な正面視略半楕円状の位置ずれ抑制部14が上方に向って突出するように連設されている。
【００３１】
そして、位置ずれ抑制部14の上面は上方に向かって凸の湾曲面状をなす湾曲上面27にて構成され、この湾曲上面27の内側端側が水平な左右方向軸線Ｘに略沿って位置している。すなわち例えば、湾曲上面27の内側端側の略半部が水平面（水平な左右方向軸線Ｘを含む平面）に略沿って位置している。
【００３２】
湾曲上面27の内端である内側端27aは、アーム部16の傾斜面25のうち位置ずれ抑制部14が連設されていない部分（つまり、被支持物Ａを直接支持する支持面部分）の外側端に滑らかに連続している。湾曲上面27の外端である外側端27bは、アーム部16の湾曲面状の外側端面の上端に滑らかに連続している。アーム部16の外側端面は、外側方に向かって凸の湾曲面状に形成されている。なお、図１から明らかなように、支持体12の左右方向両端部が自由端部12aとなっている。
【００３３】
一方、フック体13は、例えば丸棒状のフック受け部材30に引っ掛け可能な略逆Ｊ字状に形成されている。つまり、フック体13は、支持体12のフック連設部15の第１部分21の上端部から上方に向って突出する略直線状の第１部分31と、この第１部分31の上端部に連設された略半円弧状の第２部分32とにて構成されている。ここでいうフック受け部材30は、例えば洗濯竿や、衣類の収納手段であるクローゼットの棒等である。
【００３４】
なお、ハンガー11の重心位置は、被支持物Ａに支持体12に掛けない状態で、フック体13をフック受け部材30に引っ掛けた際にハンガー11が所定の水平状態（図１に示す状態）に維持される位置に設定されている。
【００３５】
次に、上記ハンガー11の作用等を説明する。
【００３６】
ハンガー11を使用する際には、衣料等の被支持物Ａをハンガー11の支持体12に掛けて支持させる。
【００３７】
その後、フック体13をフック受け部材30に引っ掛ける。こうして、例えば濡れた被支持物Ａを洗濯竿に干したり、洗濯して乾いた被支持物Ａを収納手段である例えばクローゼット内に吊り下げ状態で収納したりすることができる。
【００３８】
ここで、ハンガー11に掛ける被支持物Ａが、例えば左右１対の肩紐A1を有する衣料であるキャミソールである場合には、キャミソールの左右の両肩紐A1を支持体12の左右の両アーム部16に掛けて支持させる。
【００３９】
その後、図３に示すように、フック体13をフック受け部材30に引っ掛けるために、手で持ったハンガー11の全体を水平方向に対して斜めの傾斜状態にしたとしても、キャミソールの肩紐（図３上、左側の肩紐）A1は、位置ずれ抑制部14と接触し、この位置ずれ抑制部14にてアーム部16に対する外側方への位置ずれが抑制される。
【００４０】
その結果、キャミソールの肩紐A1は支持体12上から滑り落ちにくく、キャミソールは支持体１から脱落しにくい。なお、襟ぐりが広いＴシャツや、バスタオル、パンツ、靴下等を支持体12に掛けた場合も同様で、それら被支持物Ａは、位置ずれ抑制部14による位置ずれの抑制により、支持体１から脱落しにくい。
【００４１】
そして、このようなハンガー11によれば、支持体12はこの支持体12に対する被支持物Ａの位置ずれを抑制する上方突出状の位置ずれ抑制部14を左右方向両端部に有するため、被支持物Ａの支持体12に対する位置ずれを適切に抑制できる。よって、例えば被支持物（キャミソールやタンクトップ等）Ａの支持体12からの脱落を抑制でき、また例えば支持体12上の所望の支持位置からの位置ずれに基づく被支持物（ワイシャツやスーツ等）Ａの型崩れを抑制できる。
【００４２】
また、支持体12はこの支持体12の左右方向中央位置を通る上下方向軸線Ｙを中心とする左右対称形状に形成されているため、重量バランスが良好であるとともに、外観も良好である。
【００４３】
さらに、支持体12はフック体13が上端側に連設されたフック連設部15とこのフック連設部15から外側方に向かって下り傾斜状に突出し位置ずれ抑制部14が外側端部の上端側に連設された左右１対のアーム部16とを有するため、支持体12のアーム部16に対する被支持物Ａの位置ずれをより適切に抑制できる。
【００４４】
また、支持体12の位置ずれ抑制部14の上面は上方に向かって凸の湾曲面状をなす湾曲上面27にて構成され、この湾曲上面27の内側端側の略半部が左右方向軸線Ｘに略沿って位置するため、被支持物Ａを支持体12から取り外す際に被支持物Ａの位置ずれ抑制部14への引っ掛かりを防止できる。
【００４５】
さらに、紙材は古紙の繊維と糊とを共に圧縮して固めた厚さ３．５ｍｍ〜４．０ｍｍの再生紙であるため、製造コストを低減でき、環境保護（エコロジー）にも適しており、しかも、厚さが３．５ｍｍ〜４．０ｍｍと薄いため、例えば複数本のハンガー11を使用して所定範囲の収納スペース内に多くの被支持物Ａを効率的に収納でき、限られた収納スペースを有効活用できる。
【００４６】
なお、上記第１の実施の形態では、支持体12が５つの構成部分（フック連設部15、アーム部16、位置ずれ抑制部14）のみからなる構成について説明したが、例えば図４に示す第２の実施の形態のように、支持体12が自由端部12aを有さず、支持体12が両アーム部16の外側端部同士を互いに一体に連結する左右方向長手状の連結部41を有する構成でもよい。
【００４７】
連結部41は、水平状に位置する左右方向長手状の第１部分42と、この第１部分42の左右方向両端部から上方に向かって一体に突出する第２部分43とにて構成されている。第２部分43の上端部とアーム部16の外側端部の下端部とが互いに一体に連結されている。また、第１部分42の上方にはフック連設部15および両アーム部16が位置し、これら第１部分42とフック連設部15および両アーム部16との間には、略三角形状の空間部である孔部44が支持体12の表裏面に貫通して開口形成されている。
【００４８】
そして、このような第２の実施の形態であっても、被支持物Ａの支持体12に対する位置ずれを適切に抑制できる等、上記第１の実施の形態と同様の作用効果を奏することができる。
【００４９】
しかも、支持体12が両アーム部16の外側端部同士を互いに一体に連結する連結部41を有するため、支持体12に要求される強度を容易に確保でき、強度が良好であるばかりでなく、ズボンやネクタイ等の被支持物Ａを連結部41に掛けることもできる。
【００５０】
なお、上記各実施の形態において、例えば被支持物Ａの位置ずれを抑制するための凹部をアーム部16の上面に形成してもよい。
【００５１】
また、例えば強度向上のために、フック連設部15の下部に凹部20を形成しないようにしてもよい。
【００５２】
さらに、ハンガー11は、矩形状等の所定形状の再生紙を断裁機で断裁したものには限定されず、例えば古紙の繊維と糊とを共に圧縮して最終形状に固めたもの等でもよい。
【００５３】
また、ハンガー11の主原料は、環境保護の観点から、再生紙（リサイクルペーパー）が好ましいが、再生紙以外の紙材でもよい。
【００５４】
さらに、例えば再生紙等の紙材の表面や裏面に、デザイン紙を貼り付けたり、合成樹脂層を設けてコーティングしたりしてもよい。
【００５５】
また、位置ずれ抑制部14が支持体12の左右方向両端部にそれぞれ１つずつ形成されたものには限定されず、支持体12の外側端部に位置する位置ずれ抑制部14の数は任意であり、例えば複数であってもよい。
【００５６】
なお、各実施の形態のハンガー11の左右方向長さ寸法は、例えば３１０ｍｍ〜４７０ｍｍ（好ましくは、３６０ｍｍ〜４３０ｍｍ）である。第１の実施の形態のハンガー11の上下方向長さ寸法は、例えば１３５ｍｍ〜１８０ｍｍである。第２の実施の形態のハンガー11の上下方向長さ寸法は、例えば１５５ｍｍ〜２２０ｍｍである。
【００５７】
また、図１および図４中の一点鎖線は、互いに隣接する構成部分の境界のみを示す線である。
【符号の説明】
【００５８】
11    ハンガー
12    支持体
13    フック体
14    位置ずれ抑制部
15    フック連設部
16    アーム部
27    湾曲上面
41    連結部
Ａ    被支持物
Ｘ    左右方向軸線
Ｙ    上下方向軸線
【図１】
0003168026.tif 000003
【図２】
0003168026.tif 000004
【図３】
0003168026.tif 000005
【図４】
0003168026.tif 000006
【図５】
0003168026.tif 000007
【図６】
0003168026.tif 000008